(57)【特許請求の範囲】
【請求項１】
機器本体に装備され、ＩＣカードを挿抜可能に支持するフレームと、このフレームに往復動可能に保持されたプッシュロッドと、このプッシュロッドの一端部に取着された操作子と、挿着状態のＩＣカードのソケットコンタクトに接続される多数本のピンコンタクトとを備え、前記操作子を介して前記プッシュロッドを押し込むことで挿着状態のＩＣカードが排出可能なＩＣカード用コネクタ装置において、
前記プッシュロッドに対する前記操作子の取付位置として、該プッシュロッドの手前側へ突出する該操作子の突出量が小なる第１の取付位置と、前記突出量が前記第１の取付位置の場合よりも大なる第２の取付位置とを設定し、前記第１の取付位置にある前記操作子を引っ張り操作して前記プッシュロッドに対し手前側へ所定量スライド移動可能とし、該スライド移動により該操作子が前記第２の取付位置へ移動するとともに、該プッシュロッドに対する第２の取付位置に係止されるようにしたことを特徴とするＩＣカード用コネクタ装置。
【請求項２】
ＩＣカードが未挿着で前記プッシュロッドが押し込まれているとき、前記第１の取付位置にある前記操作子は前記フレームの手前側へ突出しない位置に保持されていることを特徴とする請求項１記載のＩＣカード用コネクタ装置。
【請求項３】
ＩＣカードが挿着されると前記プッシュロッドが手前側へ押し出されて、前記第１の取付位置にある前記操作子が前記フレームの手前側へ突出するようにしたことを特徴とする請求項２記載のＩＣカード用コネクタ装置。
【請求項４】
前記操作子が前記第１の取付位置にあるとき、該操作子に設けた弾性片が前記プッシュロッドに設けた切欠き部と係合して該操作子が位置決めされるようにしたことを特徴とする請求項１ないし３いずれかに記載のＩＣカード用コネクタ装置。
【請求項５】
前記操作子が前記第２の取付位置にあるとき、該操作子に設けた当接部が前記プッシュロッドに設けた係止部に係止されて該操作子の手前側への移動が規制されるとともに、前記弾性片が該プッシュロッドの端面に係止されて該操作子の奥側への移動が規制されるようにしたことを特徴とする請求項４記載のＩＣカード用コネクタ装置。
【発明の詳細な説明】
【０００１】
【発明の属する技術分野】
本発明は、ＩＣカードを挿抜して使用される機器に装備されるＩＣカード用コネクタ装置に係り、特に、プッシュロッドの一端部に取着した操作子を押し込んでＩＣカードを排出させるようにしたＩＣカード用コネクタ装置の搬送中や組み付け作業中の事故防止対策に関する。
【０００２】
【従来の技術】
ＩＣカード用コネクタ装置は通常、ＩＣカード内のソケットコンタクトに接続させるための多数本のピンコンタクトをピンハウジングに配設してなるピンヘッダ部や、挿抜時のＩＣカードをガイドするフレームや、挿着状態のＩＣカードをピンコンタクトから離脱させるためのイジェクト機構部等を備えて概略構成されており、ピンハウジングとフレームを一体成形品としたものも知られている。
【０００３】
前記イジェクト機構部には種々の構成のものがあるが、フレームの外側面に保持されてＩＣカード挿抜方向に沿って往復動可能なプッシュロッドと、フレームやピンハウジングに回動自在に支承されて前記プッシュロッドと係合するイジェクトレバーとを備えた構成のものが広く知られており、プッシュロッドの一端部には通常、操作子となる摘みが取り付けられている。かかる構成のイジェクト機構部は、ＩＣカードを挿入するとイジェクトレバーが回転駆動され、その回転に連動してプッシュロッドが手前側へ押し出されるようになっており、また、ＩＣカードが挿着されている状態で摘みを介してプッシュロッドを押し込むと、このプッシュロッドに連動して回転するイジェクトレバーが該ＩＣカードを押圧し、手指で簡単に抜き取れる位置まで該ＩＣカードを排出方向へ移動させられるようになっている。
【０００４】
【発明が解決しようとする課題】
ところで、上述したＩＣカード用コネクタ装置は、パーソナルコンピュータ等の機器本体に組み付けるまではプッシュロッドを押し込んだ状態、つまり摘みがフレームの手前側へ大きく突出していない状態にしておくことで、搬送中や組み付け作業中に危惧される摘みやプッシュロッドの破損事故を防止している。しかしながら、プッシュロッドを押し込んでも摘みはフレームの手前側へ若干量突出しているので、搬送中にこの摘みに衝撃が加わる危険性はあり、特に、プッシュロッドが手前側へ押し出されて摘みの突出量が大きい状態のまま搬送されてしまった場合には、摘みやプッシュロッドが破損しやすいという問題点があった。
【０００５】
【課題を解決するための手段】
本発明によるＩＣカード用コネクタ装置は、摘みをプッシュロッドの手前側へほとんど突出させずに取り付けられるようにして、搬送中や組み付け作業中に懸念される摘みやプッシュロッドの破損事故が確実に防止できるようにするとともに、機器本体に組み付けた後に摘みをプッシュロッドに対しスライド移動できるようにしておくことで、この摘みを必要量だけ手前側へ突出させた状態でプッシュロッドに取り付けられるようにした。
【０００６】
【発明の実施の形態】
本発明は、機器本体に装備され、ＩＣカードを挿抜可能に支持するフレームと、このフレームに往復動可能に保持されたプッシュロッドと、このプッシュロッドの一端部に取着された操作子と、挿着状態のＩＣカードのソケットコンタクトに接続される多数本のピンコンタクトとを備え、前記操作子を介して前記プッシュロッドを押し込むことで挿着状態のＩＣカードが排出可能なＩＣカード用コネクタ装置において、前記プッシュロッドに対する前記操作子の取付位置として、該プッシュロッドの手前側へ突出する該操作子の突出量が小なる第１の取付位置と、前記突出量が前記第１の取付位置の場合よりも大なる第２の取付位置とを設定し、前記第１の取付位置にある前記操作子を引っ張り操作して前記プッシュロッドに対し手前側へ所定量スライド移動可能とし、該スライド移動により該操作子が前記第２の取付位置へ移動するとともに、該プッシュロッドに対する第２の取付位置に係止されるように構成した。
【０００７】
このような構成のＩＣカード用コネクタ装置は、コネクタ装置を機器本体に組み付けた後、操作子をプッシュロッドに対し第１の取付位置から引っ張り操作して第２の取付位置へとスライド移動させ、この操作子を必要量だけ手前側へ突出させた状態の第２の取付位置でプッシュロッドに係止させることができるので、操作子（摘み）を第１の取付位置でプッシュロッドに取り付け、このプッシュロッドを押し込んだ状態にしておけば、この操作子を手前側へほとんど突出させることなく搬送でき、また、仮にプッシュロッドが手前側へ押し出された状態のまま搬送されてしまったとしても、プッシュロッド自体が手前側へ突出する量は僅かであり第１の取付位置にある操作子が手前側へ大きく突出することはないので、機器本体へ組み付けるまでの搬送中や組み付け作業中に懸念される操作子やプッシュロッドの破損事故を確実に防止することができ、ＩＣカード用コネクタ装置を機器本体に装備した後でプッシュロッドに対する第１の取付位置にある操作子を手動で手前側にスライド移動させて、プッシュロッドに対する第２の取付位置に移動して第２の取付位置に係止して通常の状態の操作子として使用することができる。
【０００８】
また、ＩＣカードが未挿着でプッシュロッドが押し込まれているとき、第１の取付位置にある操作子が前記フレームの手前側へ突出しない位置に保持されるように設定しておけば、搬送中や組み付け作業中に操作子が破損する危険性が一層低減するので好ましい。その際、ＩＣカードが挿着されるとプッシュロッドが手前側へ押し出されて、第１の取付位置にある操作子がフレームの手前側へ突出するように設定しておけば、機器本体に組み付けた後に、この操作子を第１の取付位置から第２の取付位置へ容易にスライド移動させられるので好ましい。
【０００９】
なお、操作子を第１の取付位置でプッシュロッドに取り付けるための構造としては、例えば、操作子に設けた弾性片がプッシュロッドに設けた切欠き部と係合して該操作子が位置決めされるようにしておけば、操作子を簡単且つ正確にプッシュロッドに取り付けることができるとともに、該弾性片を該切欠き部から離脱させれば操作子を第２の取付位置へ容易にスライド移動させられるので、好ましい。また、この操作子を第２の取付位置でプッシュロッドに取り付けるための構造としては、例えば、操作子に設けた当接部がプッシュロッドに設けた係止部に係止されて該操作子の手前側への移動が規制されるとともに、前記弾性片が該プッシュロッドの端面に係止されて該操作子の奥側への移動が規制されるようにしておけば、構成が複雑にならず信頼性も確保できるので好ましい。
【００１０】
【実施例】
実施例について図面を参照して説明すると、図１は本発明に係るＩＣカード用コネクタ装置を機器本体に組み付けた状態を示す一部断面側面図、図２は図１に示すコネクタ装置にＩＣカードを挿着した状態を示す一部断面平面図、図３は該コネクタ装置の組立段階で摘みをプッシュロッドに取り付ける作業手順を示す説明図、図４は該コネクタ装置を機器本体に組み付けてから摘みの取付位置を変更させる作業手順を示す説明図、図５は該コネクタ装置のフレームの内側面図、図６は該コネクタ装置のプッシュロッドの内側面図、図７は該コネクタ装置の摘みの外側面図および断面図である。
【００１１】
これらの図に示すＩＣカード用コネクタ装置は、ＩＣカード１内のソケットコンタクト（図示せず）に接続させるための多数本のピンコンタクト（図２中にその端子部２ａを示す）を所定の配列で圧入固定してなるピンハウジング２と、このピンハウジング２の左右両端に固定され、挿抜時のＩＣカード１を幅方向両側からガイド溝３ａにてガイドする一対のフレーム３と、一方のフレーム３に往復動可能に保持されたプッシュロッド４と、ピンハウジング２に軸支されたイジェクトアーム５、第１の回動アーム６および第２の回動アーム７等によって概略構成されている。
【００１２】
前記ピンハウジング２には所定の間隔を存して第１の支軸８と第２の支軸９が設けられており、第１の支軸８に前記イジェクトアーム５の一端部が回動自在に支承されている。このイジェクトアーム５には連結孔５ａと係合部５ｂが形成されており、係合部５ｂはフレーム３の側方へ突出している。前記第１の回動アーム６も第１の支軸８に回動自在に支承されており、この第１の回動アーム６にはＩＣカード１を押し出すための爪片６ａと、イジェクトアーム５の連結孔５ａ内に突出する舌片６ｂとが形成されている。一方、第２の回動アーム７は第２の支軸９に回動自在に支承されており、この第２の回動アーム７には、ＩＣカード１を押し出すための爪片７ａと、イジェクトアーム５の連結孔５ａ内に突出する舌片７ｂとが形成されている。
【００１３】
前記プッシュロッド４の手前側の端部には、操作子となる摘み１０が取り付けられている。このプッシュロッド４には図６に示すように、フレーム３の一対のガイド突起３ｂを挿通して往復動可能に保持されるようにするための一対のガイド孔４ａと、イジェクトアーム５の前記係合部５ｂと係合させるための一対の係合孔４ｂと、摘み１０を深く差し込んだ状態（第１の取付位置）で取り付ける際に位置決め機能を果たす切欠き部４ｃと、摘み１０を浅く差し込んだ状態（第２の取付位置）で取り付ける際にストッパ機能を果たす係止部４ｄとが形成されている。一方、摘み１０には図７に示すように、プッシュロッド４が挿入される挿入路１０ａと、この挿入路１０ａの一部に入り込んでいる弾性片１０ｂと、奥側の端部で挿入路１０ａに隣接している当接部１０ｃとが形成されている。この摘み１０をプッシュロッド４に取り付ける際には、まず図３Ａ，Ｂに示すように、摘み１０の挿入路１０ａに当接部１０ｃ側の端部からプッシュロッド４を挿入していく。プッシュロッド４を所定量挿入すると、図３Ｃに示すようにプッシュロッド４の端面４ｅが摘み１０の弾性片１０ｂに当接するが、この弾性片１０ｂを図示上方へ押し上げてから再びプッシュロッド４を挿入していくと、図３Ｄ，Ｅに示すように、弾性片１０ｂがプッシュロッド４の切欠き部４ｃに入り込むため、摘み１０は位置決めされた状態でプッシュロッド４に取着される。こうして、摘み１０を深く差し込んだ第１の取付位置でプッシュロッド４に取り付けると、図３Ｅに示すようにプッシュロッド４の手前側へ突出する摘み１０の突出量はごく僅かとなる。ただし、第１の取付位置にある摘み１０は手前へ引っ張って弾性片１０ｂを切欠き部４ｃから離脱させることにより、図３Ｃに示す位置までプッシュロッド４に対しスライド移動させることができ、後述するようにこの図３Ｃに示す位置が摘み１０の本来の取付位置（第２の取付位置）である。
【００１４】
なお、プッシュロッド４は図示せぬコイルばねによりＩＣカード排出方向（手前側）へ常時付勢された状態でフレーム３に保持されるが、プッシュロッド４の段部４ｆがフレーム３に位置規制された時点で同方向への移動が制限されるようになっている。
【００１５】
このように構成されたＩＣカード用コネクタ装置は、図１，２に示すようにパーソナルコンピュータ等の機器本体１１内の回路基板１２上に実装されるが、これまでは、機器本体１１に組み付けるまでの搬送中や組み付け作業中に、手前側へ突出している摘みが衝撃を受けて破損事故を起こしやすいという難点があった。しかるに上述した本実施例のコネクタ装置では、摘み１０がプッシュロッド４に対し深く差し込んだ状態で取り付けてあるので、図４Ａに示すようにプッシュロッド４を押し込んだ状態にしておけば、摘み１０を手前側へほとんど突出させることなく搬送や組み付け作業が行える。また、仮にプッシュロッド４が図４Ｂに示すように手前側へ押し出された状態のまま搬送されてしまったとしても、プッシュロッド４自体が手前側へ突出する量は僅かなので、第１の取付位置にある摘み１０が手前側へ大きく突出することはない。したがって、このコネクタ装置は、機器本体１１へ組み付けるまでの搬送中や組み付け作業中に懸念される摘み１０やプッシュロッド４の破損事故を確実に防止することができる。
【００１６】
また、このコネクタ装置は機器本体１１へ組み付けた後、プッシュロッド４に対する摘み１０の取付位置を変更させることにより、プッシュロッド４の良好な操作性が確保できるようになっている。すなわち、このコネクタ装置の機器本体１１への組み付け作業が完了したなら、図４Ａの状態で該コネクタ装置にＩＣカード１を差し込んで挿着させることにより、図４Ｂに示すように、プッシュロッド４が手前側へ押し出されて摘み１０が機器本体１１の前面に露出するので、この摘み１０を手前へ引っ張って弾性片１０ｂを切欠き部４ｃから離脱させると、図４Ｃに示すように、当接部１０ｃが係止部４ｄに当接して弾性片１０ｂが端面４ｅと係合する第２の取付位置まで、摘み１０をスライド移動させることができる。かかる第２の取付位置において、摘み１０は、当接部１０ｃが係止部４ｄに係止されて手前側への移動が規制されるとともに、弾性片１０ｂが端面４ｅに係止されて奥側への移動が規制されるので、結局、プッシュロッド４に対し深く差し込んであった第１の取付位置から、プッシュロッド４に対し浅く差し込まれた状態の第２の取付位置までスライド移動して、摘み１０はプッシュロッド４に位置決め保持されることになる。こうして摘み１０の取付位置を図４Ｃに示す第２の取付位置に変更すると、摘み１０はＩＣカード１の排出時に必要なプッシュ操作が行いやすい位置まで機器本体１１の前面から突出するので、良好な操作性が確保でき、この摘み１０を介してプッシュロッド４を図４Ｄに示す位置まで押し込めば、先に挿着させてあったＩＣカード１を排出することができる。
【００１７】
なお、本実施例では、プッシュロッド４が押し込まれている状態で第１の取付位置にある摘み１０がフレーム３の手前側へ突出しない位置に保持されるように設定してあるので、搬送中や組み付け作業中に摘み１０が破損する危険性が極めて少なくなっているが、第１の取付位置にある摘み１０がフレーム３の手前側へ若干量突出していても差し支えない。
【００１８】
次に、このコネクタ装置の使用時の動作について簡単に説明する。ＩＣカード未挿着の状態で、ＩＣカード１を左右一対のフレーム３のガイド溝３ａに沿って挿入していくと、ピンハウジング２へ向かうＩＣカード１が第１および第２の回動アーム６，７の爪片６ａ，７ａを押し込みながら自身のソケットコンタクトにピンハウジング２のピンコンタクトを圧入させていき、挿着が完了した時点でＩＣカード１は各ピンコンタクトと確実に接続された状態となる。その際、第１の回動アーム６と第２の回動アーム７はそれぞれ第１の支軸８と第２の支軸９を回転軸として互いに逆向きに回転し、これら両回動アーム６，７の回転が舌片６ｂ，７ｂを介してイジェクトアーム５に伝達されるので、イジェクトアーム５が第１の支軸８を回転軸として回転してプッシュロッド４を駆動する。そして、イジェクトアーム５に駆動されたプッシュロッド４がフレーム３に沿って手前側へ移動するのに伴い、摘み１０が図４Ｃに示す位置まで突出するようになっている。
【００１９】
また、こうしてＩＣカード１が挿着されている状態で、摘み１０を介してプッシュロッド４を奥側へ押し込むと、イジェクトアーム５が先ほどとは逆向きに回転駆動されるので、その回転に連動して第１および第２の回動アーム６，７の爪片６ａ，７ａが、ＩＣカード１の奥側の端面の左右両端部を排出方向へほぼまっすぐに押圧し、図２に鎖線で示すように、手指でつまんで簡単に抜き取れる位置までＩＣカード１を排出方向へ移動させられるようになっている。
【００２０】
【発明の効果】
本発明によるＩＣカード用コネクタ装置は、以上説明したような形態で実施され、以下に記載されるような効果を奏する。
【００２１】
コネクタ装置を機器本体に組み付けた後、操作子をプッシュロッドに対し第１の取付位置から引っ張り操作して第２の取付位置へとスライド移動させ、この操作子を必要量だけ手前側へ突出させた状態の第２の取付位置でプッシュロッドに係止させることができるので、操作子（摘み）を第１の取付位置でプッシュロッドに取り付け、このプッシュロッドを押し込んだ状態にしておけば、この操作子を手前側へほとんど突出させることなく搬送でき、また、仮にプッシュロッドが手前側へ押し出された状態のまま搬送されてしまったとしても、プッシュロッド自体が手前側へ突出する量は僅かであり第１の取付位置にある操作子が手前側へ大きく突出することはないので、機器本体へ組み付けるまでの搬送中や組み付け作業中に懸念される操作子やプッシュロッドの破損事故を確実に防止することができ、ＩＣカード用コネクタ装置を機器本体に装備した後でプッシュロッドに対する第１の取付位置にある操作子を手動で手前側にスライド移動させて、プッシュロッドに対する第２の取付位置に移動して第２の取付位置に係止して通常の状態の操作子として使用することができる。
【００２２】
また、ＩＣカードが未挿着でプッシュロッドが押し込まれているとき、第１の取付位置にある操作子がフレームの手前側へ突出しない位置に保持されるように設定しておけば、搬送中や組み付け作業中に操作子が破損する危険性が一層低減するので好ましい。その際、ＩＣカードが挿着されるとプッシュロッドが手前側へ押し出されて、第１の取付位置にある操作子がフレームの手前側へ突出するように設定しておけば、機器本体に組み付けた後に、この操作子を第１の取付位置から第２の取付位置へ容易にスライド移動させられるので好ましい。
【００２３】
また、操作子を第１の取付位置でプッシュロッドに取り付けるための構造として、操作子に設けた弾性片がプッシュロッドに設けた切欠き部と係合して該操作子が位置決めされるようにしておけば、操作子を簡単且つ正確にプッシュロッドに取り付けることができるとともに、該弾性片を該切欠き部から離脱させれば操作子を第２の取付位置へ容易にスライド移動させられるので、好ましい。また、この操作子を第２の取付位置でプッシュロッドに取り付けるための構造として、操作子に設けた当接部がプッシュロッドに設けた係止部に係止されて該操作子の手前側への移動が規制されるとともに、前記弾性片がプッシュロッドの端面に係止されて操作子の奥側への移動が規制されるようにしておけば、構成が複雑にならず信頼性も確保できるので好ましい。
【図面の簡単な説明】
【図１】実施例に係るＩＣカード用コネクタ装置を機器本体に組み付けた状態を示す一部断面側面図である。
【図２】図１に示すコネクタ装置にＩＣカードを挿着した状態を示す一部断面平面図である。
【図３】該コネクタ装置の組立段階で摘みをプッシュロッドに取り付ける作業手順を示す説明図である。
【図４】該コネクタ装置を機器本体に組み付けてから摘みの取付位置を変更させる作業手順を示す説明図である。
【図５】該コネクタ装置のフレームの内側面図である。
【図６】該コネクタ装置のプッシュロッドの内側面図である。
【図７】該コネクタ装置の摘みの外側面図および断面図である。
【符号の説明】
１  ＩＣカード
２  ピンハウジング
３  フレーム
３ａ  ガイド溝
３ｂ  ガイド突起
４  プッシュロッド
４ｃ  切欠き部
４ｄ  係止部
４ｅ  端面
５  イジェクトアーム
６，７  回動アーム
１０  摘み
１０ａ  挿入路
１０ｂ  弾性片
１０ｃ  当接部
１１  機器本体
【図１】
0003673398.tif 000002
【図２】
0003673398.tif 000003
【図３】
0003673398.tif 000004
【図４】
0003673398.tif 000005
【図５】
0003673398.tif 000006
【図６】
0003673398.tif 000007
【図７】
0003673398.tif 000008